(57)【要約】【課題】曲げ易いマットレスを提供する。【解決手段】マットレス１０は、弾性変形可能な軟質発泡体で矩形状に形成されている。マットレス１０の一面には、該マットレス１０の長手方向および短手方向に沿うように延在する第１溝部１８を挟んで碁盤目状に配列された複数の第１凸部１２が設けられている。マットレス１０の他面には、該マットレス１０の長手方向および短手方向に沿うように延在する第２溝部２０を挟んで碁盤目状に配列された複数の第２凸部１４が設けられている。マットレス１０は、長手方向の領域に応じて複数のゾーンに区分されており、ゾーンによって長手方向に隣り合う第１凸部１２,１２の間隔が異なる。【選択図】図１
2020014737.tif 000002
【特許請求の範囲】
【請求項１】
弾性変形可能な軟質発泡体で矩形状に形成されたマットレスであって、
マットレスの表裏のうちの一面に、他面と反対向きへ突出するように設けられ、該マットレスの長手方向および短手方向へ延在する第１溝部を挟んで碁盤目状に配列された複数の第１凸部と、
マットレスの表裏のうちの他面に、一面と反対向きへ突出するように設けられ、該マットレスの長手方向および短手方向へ延在する第２溝部を挟んで碁盤目状に配列された複数の第２凸部と、を備え、
前記第１凸部は、使用者の体を受ける支持面が、該第１凸部における前記第１溝部に臨む外縁から中央部側へ向かうにつれて前記他面と反対向きへ傾く傾斜面を有する形状で形成され、
前記マットレスの一面は、該マットレスの長手方向の領域に応じてゾーンＡ１とゾーンＢ１とに区分され、
前記ゾーンＡ１を構成する前記第１凸部は、前記ゾーンＢ１を構成する前記第１凸部よりも前記長手方向の寸法が大きく設定され、
前記ゾーンＡ１において前記長手方向に隣り合う前記第１凸部の間隔、並びに該ゾーンＡ１と前記ゾーンＢ１との境界において前記長手方向に隣り合う前記第１凸部の間隔が、前記ゾーンＢ１において前記長手方向に隣り合う前記第１凸部の間隔よりも広く設定されている
ことを特徴とするマットレス。
【請求項２】
前記第１凸部および前記第２凸部は、該凸部を支持する基部に連なる根元部と、該根元部に連ねて設けられて、使用者の体を受ける支持面を構成する先端部とを備え、
前記第１凸部および前記第２凸部は、前記先端部における支持面の外縁が前記根元部よりも前記長手方向へ張り出して、前記長手方向において前記先端部と比べて前記根元部が細くなるくびれた形状で形成され、
マットレスの短手方向に延在する前記第１溝部および前記第２溝部は、前記長手方向に隣り合う凸部の外縁間の開口側と比べて底側が広く形成されている請求項１記載のマットレス。
【請求項３】
前記ゾーンＡ１と前記ゾーンＢ１との境界において前記長手方向に隣り合う前記第１凸部のうち、該ゾーンＡ１を構成する第１凸部における先端部の外縁が、該ゾーンＢ１を構成する第１凸部における先端部の外縁よりも、前記基部側に位置し、
前記ゾーンＡ１と前記ゾーンＢ１との境界において前記長手方向に隣り合う前記第１凸部のうち、該ゾーンＡ１を構成する第１凸部における前記根元部のくびれよりも、該ゾーンＢ１を構成する第１凸部における前記根元部のくびれが、該第１凸部の突出方向へ大きく形成されている請求項２記載のマットレス。
【請求項４】
前記第１凸部および前記第２凸部は、前記短手方向において前記先端部と前記根元部との幅が同じであるくびれがない形状、または前記長手方向の前記くびれよりも前記短手方向のくびれが小さい形状で形成されている請求項２または３記載のマットレス。
【請求項５】
前記ゾーンＡ１を構成する前記第１凸部は、前記ゾーンＢ１を構成する前記第１凸部よりも、前記先端部と前記根元部との前記長手方向の寸法差が大きく設定されている請求項２〜４の何れか一項に記載のマットレス。
【請求項６】
前記長手方向に延在する複数の前記第２溝部の中には、前記第１凸部に対応する位置に設けられて、該第１凸部の内側へ達するように形成された深縦第２溝部がある請求項１〜５の何れか一項に記載のマットレス。
【請求項７】
前記マットレスの他面は、該マットレスの長手方向の領域に応じて前記ゾーンＡ１に対応するゾーンＡ２と前記ゾーンＢ１に対応するゾーンＢ２とに区分され、
前記第２凸部は、対応するゾーン同士の関係において、前記第１凸部よりも前記長手方向の寸法が大きく設定されている請求項１〜６の何れか一項に記載のマットレス。
【請求項８】
前記第２凸部は、使用者の体を受ける支持面が、該第２凸部における前記第２溝部に臨む外縁から中央部側へ向かうにつれて前記一面と反対向きへ傾く傾斜面を有する形状で形成され、
前記第２凸部は、前記支持面に形成された前記長手方向の傾斜面の範囲が、前記第１凸部の前記支持面に形成された前記長手方向の傾斜面の範囲よりも狭く設定されている請求項１〜７の何れか一項に記載のマットレス。
【発明の詳細な説明】
【技術分野】
【０００１】
この発明は、マットレスに関するものである。
【背景技術】
【０００２】
背中対応部分を上げて上体を起こしたり、膝対応部分を上げて膝を持ち上げたりするなど、使用者の動作や姿勢維持を補助する介護用や医療用の可変ベッドがある。このようなベッドには、各部分の姿勢変化に合わせて変形可能なマットレスが用いられている(例えば、特許文献１参照)。
【先行技術文献】
【特許文献】
【０００３】
【特許文献１】特開２００４−４９４１４号公報
【発明の概要】
【発明が解決しようとする課題】
【０００４】
前述した可変ベッドは、背中対応部分が腰対応部分を起点に持ち上がるだけでなく、背中対応部分の両脇が更に持ち上がって肩が横にずれないように保持するなど、使用者の姿勢保持をより好適に補助し得るものがある。このため、形状変化する可変ベッドに追従して、より曲がり易く構成されたマットレスが求められている。
【０００５】
本発明は、従来の技術に係る前記問題に鑑み、これらを好適に解決するべく提案されたものであって、曲がり易いマットレスを提供することを目的とする。
【課題を解決するための手段】
【０００６】
前記課題を克服し、所期の目的を達成するため、本発明のマットレスは、
弾性変形可能な軟質発泡体で矩形状に形成されたマットレスであって、
マットレスの表裏のうちの一面に、他面と反対向きへ突出するように設けられ、該マットレスの長手方向および短手方向へ延在する第１溝部を挟んで碁盤目状に配列された複数の第１凸部と、
マットレスの表裏のうちの他面に、一面と反対向きへ突出するように設けられ、該マットレスの長手方向および短手方向へ延在する第２溝部を挟んで碁盤目状に配列された複数の第２凸部と、を備え、
前記第１凸部は、使用者の体を受ける支持面が、該第１凸部における前記第１溝部に臨む外縁から中央部側へ向かうにつれて前記他面と反対向きへ傾く傾斜面を有する形状で形成され、
前記マットレスの一面は、該マットレスの長手方向の領域に応じてゾーンＡ１とゾーンＢ１とに区分され、
前記ゾーンＡ１を構成する前記第１凸部は、前記ゾーンＢ１を構成する前記第１凸部よりも前記長手方向の寸法が大きく設定され、
前記ゾーンＡ１において前記長手方向に隣り合う前記第１凸部の間隔、並びに該ゾーンＡ１と前記ゾーンＢ１との境界において前記長手方向に隣り合う前記第１凸部の間隔が、前記ゾーンＢ１において前記長手方向に隣り合う前記第１凸部の間隔よりも広く設定されていることを要旨とする。
【発明の効果】
【０００７】
本発明に係るマットレスによれば、可変ベッドの形状変化に追従して曲がり易い。
【図面の簡単な説明】
【０００８】
【図１】本発明の好適な実施例に係るマットレスを表側から示す斜視図である。
【図２】実施例のマットレスを示す表面図である。
【図３】実施例のマットレスを示す裏面図である。
【図４】実施例のマットレスを横側から見た横側面図である。
【図５】実施例のマットレスを縦側から見た縦側面図である。
【図６】実施例のマットレスを横側から見た拡大断面図である。
【図７】実施例のマットレスを縦側から見た拡大断面図である。
【図８】実施例のマットレスの曲げた状態を示す横側面図である。
【図９】実施例のマットレスの曲げた状態を示す縦側面図である。
【図１０】第１凸部の関係を横側から見た説明図であり、(ａ)は表ゾーンＢ１で縦方向に隣り合う第１凸部の関係であり、(ｂ)は表ゾーンＡ１で縦方向に隣り合う第１凸部の関係であり、(ｃ)は表ゾーンＡ１と表ゾーンＢ１との境界で縦方向に隣り合う第１凸部の関係を示す。
【図１１】第２凸部の関係を横側から見た説明図であり、(ａ)は裏ゾーンＢ２で縦方向に隣り合う第２凸部の関係であり、(ｂ)は裏ゾーンＡ２で縦方向に隣り合う第２凸部の関係であり、(ｃ)は裏ゾーンＡ２と裏ゾーンＢ２との境界で縦方向に隣り合う第２凸部の関係を示す。
【図１２】実施例の第１凸部を拡大して示す斜視図である。
【発明を実施するための形態】
【０００９】
次に、本発明に係るマットレスにつき、好適な実施例を挙げて、添付図面を参照して以下に説明する。
【実施例】
【００１０】
図１〜図３に示すように、マットレス１０は、矩形状に形成された板状体であり、主に使用者が長手方向に横たわって用いられる。マットレス１０は、弾性変形可能な軟質発泡体で構成されている。実施例では、単一の軟質発泡体によって、マットレス１０の各部が一体的に形成されている。軟質発泡体としては、ポリウレタンフォームなどを用いることができる。マットレス１０に好適な軟質発泡体としては、以下のような物性を有していることが好ましい。なお、以下の物性は、括弧内のＪＩＳ規格に準拠して測定した値である。
・密度：２０ｋｇ／ｍ３〜７０ｋｇ／ｍ３（ＪＩＳ Ｋ ７２２２）
・２５％硬さ：１５０Ｎ〜３００Ｎ    （ＪＩＳ Ｋ ６４００）
・反発弾性：４０％〜７０％          （ＪＩＳ Ｋ ６４００）
・伸び：５０％〜２００％            （ＪＩＳ Ｋ ６４００）
このように、軟質発泡体としては、比較的硬くて、反発弾性が高いとマットレス１０として好適である。
【００１１】
図４および図５に示すように、マットレス１０は、該マットレス１０の表裏のうちの一面(以下、便宜的に表面という。)に設けられた複数の第１凸部１２と、該マットレス１０の表裏のうちの他面(以下、便宜的に裏面という。)に設けられた複数の第２凸部１４と、第１凸部１２および第２凸部１４を支える基部１６とを備えている。マットレス１０は、第１凸部１２および第２凸部１４が、基部１６から互いに反対向きへ突出しており、実施例では、第１凸部１２、第２凸部１４および基部１６が継ぎ目なく一体的に形成されている。そして、マットレス１０は、表裏の何れの面を上側にしても使用することができるリバーシブルタイプである。第１凸部１２および第２凸部１４は、該凸部１２,１４を支持する基部１６に連なる根元部１２ａ,１４ａと、該根元部１２ａ,１４ａに連ねて設けられて、使用者の体を受ける支持面を構成する先端部１２ｂ,１４ｂとを備えている(図６,図７および図１２参照)。なお、第１凸部１２および第２凸部１４は、先端部１２ｂ,１４ｂと根元部１２ａ,１４ａとが、先端部１２ｂ,１４ｂの平面視における外縁で根元部１２ａ,１４ａと繋がって構成されている。
【００１２】
図１および図２に示すように、複数の第１凸部１２は、マットレス１０の表面において、マットレス１０の長手(以下、縦という。)方向および短手(以下、横という。)方向に沿うように延在する第１溝部１８を挟んで碁盤目状に配列されている。ここで、マットレス１０の表面において、横方向に直線的に延在する第１溝部１８を、横第１溝部１８Ａといい、縦方向に直線的に延在する第１溝部１８を、縦第１溝部１８Ｂと指称して区別する場合がある。マットレス１０の表面には、複数の第１凸部１２が縦横に規則的に並べて配置されている。第１凸部１２は、基部１６(第１溝部１８の底)から突出する部分であって、基部１６からの突出寸法(第１溝部１８の底と第１凸部１２の先端(突端)との距離)ｈ１が何れも同じに設定されている(図６および図７参照)。マットレス１０の表面は、複数の第１凸部１２の先端部１２ｂの支持面によって、使用者の体を受けるようになっている(図４および図５参照)。
【００１３】
図３に示すように、複数の第２凸部１４は、マットレス１０の裏面において、縦方向(マットレス１０の長手方向)および横方向(マットレス１０の短手方向)に沿うように延在する第２溝部２０を挟んで碁盤目状に配列されている。ここで、マットレス１０の裏面において、横方向に直線的に延在する第２溝部２０を、横第２溝部２０Ａといい、縦方向に直線的に延在する第２溝部２０を、縦第２溝部２０Ｂと指称して区別する場合がある。マットレス１０の裏面には、複数の第２凸部１４が縦横に規則的に並べて配置されている。第２凸部１４は、基部１６(第２溝部２０の底)から突出する部分であって、基部１６からの突出寸法(第２溝部２０の底と第２凸部１４の先端(突端)との距離)ｈ２が何れも同じに設定されている(図６および図７参照)。マットレス１０は、裏面を上側にしても使用することができ、マットレス１０の裏面は、複数の第２凸部１４の先端部１４ｂの支持面によって、使用者の体を受けるようになっている。なお、実施例では、第１凸部１２の基部１６からの突出寸法ｈ１と第２凸部１４の基部１６からの突出寸法ｈ２とを同じに設定している(ｈ１＝ｈ２)。
【００１４】
図２〜図４に示すように、マットレス１０の表面および裏面のそれぞれは、マットレス１０の縦方向(マットレス１０の長手方向)の領域に応じてゾーンＡとゾーンＢとに区分されている。ここで、マットレス１０は、ゾーンＢがゾーンＡよりも体圧分散性が高くなるように構成されている。図６に示すように、マットレス１０は、ゾーンＢを構成する凸部１２,１４の縦方向の寸法ｔｂ１,ｔｂ２を、ゾーンＡを構成する凸部１２,１４の縦方向の寸法ｔａ１,ｔａ２よりも小さく設定している。これにより、ゾーンＢにおいてゾーンＡよりも荷重をきめ細かく支えて、ゾーンＢの体圧分散性が高くなるようにしている。マットレス１０は、ゾーンＢにおいて縦方向に隣り合う横溝部１８Ａ,２０Ａ同士の間隔が、ゾーンＡにおいて縦方向に隣り合う横溝部１８Ａ,２０Ａ同士の間隔よりも狭くなっている。
【００１５】
マットレス１０の表裏で区別する場合、表面のゾーンに「表」を付して、表ゾーンＡ１および表ゾーンＢ１といい、裏面のゾーンに「裏」を付して、裏ゾーンＡ２および裏ゾーンＢ２という。具体的には、マットレス１０は、その両面に、ゾーンＢ、ゾーンＡ、ゾーンＢ、ゾーンＡおよびゾーンＢの順に、ゾーンＡとゾーンＢとが縦方向へ交互に設けられている。ゾーンＢが、マットレス１０に横になった使用者の頭部、臀部および足首からつま先にかけた足部のそれぞれに対応する領域を構成し、ゾーンＡが、肩から腰にかけた胴部および股から膝裏乃至ふくらはぎにかけた脚部のそれぞれに対応する領域を構成する。マットレス１０には、縦方向中央部に設けられたゾーンＢを挟んで対称な関係でゾーンＡ,Ｂが設けられており、縦方向の何れの向きを頭側にしても使用できるように対称的に構成されている。このように、マットレス１０は、表裏の何れの面についても、支持する体の部位に応じて体圧分散性が異なるゾーンＡ,Ｂが設けてあるので、使用者の体を適切に支えることができ、使用者への負担を軽減することができる。なお、表ゾーンＡ１を構成する第１凸部１２を、第１凸部１２ＺＡといい、表ゾーンＢ１を構成する第１凸部１２を、第１凸部１２ＺＢという場合がある。また、裏ゾーンＡ２を構成する第２凸部１４を、第２凸部１４ＺＡといい、裏ゾーンＢ２を構成する第２凸部１４を、第２凸部１４ＺＢという場合がある。
【００１６】
図６および図１０に示すように、第１凸部１２は、基部１６に連なる根元部１２ａと、根元部１２ａに支持され、該第１凸部１２の突端を構成する先端部１２ｂとから構成されている。第１凸部１２における先端部１２ｂの支持面は、該支持面において横第１溝部１８Ａに臨む縦方向の外縁および該支持面において縦第１溝部１８Ｂに臨む横方向の外縁から中央部側へ向かうにつれて表側へ傾く傾斜面を有するテーパ状に形成されている。実施例の第１凸部１２の先端部１２ｂは、該先端部１２ｂの中央部側から縦方向および横方向へ該先端部１２ｂの外縁に向かうにつれて、支持面が裏側へ向けて傾いた先細り形状になっている。このように、実施例において、第１凸部１２の先端部１２ｂにおいて使用者に接する支持面は、該支持面の中央側から外縁へ向かうにつれて基部１６側へ全体的に傾いている。第１凸部１２は、該第１凸部１２における縦方向の中央を表裏方向に通る線を挟んで対称な形状であり、該第１凸部１２における横方向の中央を表裏方向に通る線を挟んで対称な形状で形成されている。
【００１７】
図６,図１０および図１２に示すように、第１凸部１２は、先端部１２ｂにおける支持面の外縁が根元部１２ａよりも縦方向(マットレス１０の長手方向)へ張り出して、長手方向において先端部１２ｂと比べて根元部１２ａが細くなる形状で形成されている。第１凸部１２は、縦方向の断面形状が、先端部１２ｂと比べて根元部１２ａが細くなる、基部１６側がくびれた形状で形成されており、横から見た外形が所謂キノコ形状になっている。より具体的には、第１凸部１２は、縦方向の断面形状において、先端部１２ｂの両外縁間で縦方向の最大幅となり、先端部１２ｂの先端側にいくにつれて、徐々に縦方向の幅が狭くなっていく。第１凸部１２は、先端部１２ｂの外縁から根元部１２ａの基部１６との付け根側にいくにつれて、徐々に縦方向の幅が狭くなっていき、底側近傍で縦方向の最小幅となる。その後、根元部１２ａがＲ状に丸みを帯びたくびれ形状であることとの関係で、基部１６に達する直前で縦方向の幅が少し大きくなる。このように、第１凸部１２は、縦方向の断面形状において、最大幅である先端部１２ｂに比べて最小幅である根元部１２ａのほうが細くなって、基部１６側がくびれた形状で形成されている。
【００１８】
図６および図７に示すように、第１凸部１２は、縦方向(マットレス１０の長手方向)において根元部１２ａがくびれた形状であるのに対して、横方向(マットレス１０の短手方向)において根元部１２ａがくびれていない形状である。すなわち、第１凸部１２は、横方向の断面形状が、先端部１２ｂの外縁における最大幅(横方向における先端部１２ｂの外縁間の距離)と根元部１２ａの幅が同じである。実施例において、第１凸部１２は、縦方向に向く側面が、根元部１２ａよりも先端部１２ｂが傘状に張り出すように、曲面がなだらかに連なるように形状変化し、横方向に向く側面が、根元部１２ａから先端部１２ｂの外縁にかけて直線的に立ち上がっている。
【００１９】
図６および図１０に示すように、縦方向(マットレス１０の長手方向)に隣り合う第１凸部１２,１２によって形作られる横第１溝部１８Ａは、互いに近づくように張り出した先端部１２ｂ,１２ｂの外縁同士で挟まれた開口側と比べて、先端部１２ｂよりも凹んだ根元部１２ａ,１２ａ同士で挟まれた底側が広く形成される。なお、横第１溝部１８Ａの開口(溝幅ｍａ１,ｍｂ１,ｂｍ１)は、縦方向に隣り合う第１凸部１２,１２において向かい合う先端部１２ｂ,１２ｂの外縁が最も近接する位置を指している。すなわち、横第１溝部１８Ａは、底側よりも狭い部分が開口側に設けられて、開口側と比べて底側が縦方向において広く形成されている。図７に示すように、横方向に隣り合う第１凸部１２,１２によって形作られる縦第１溝部１８Ｂは、先端部１２ｂ,１２ｂの外縁同士で挟まれる開口側から根元部１２ａ,１２ａ同士で挟まれる底側にかけて、基本的に同じ幅で形成されている。第１凸部１２は、縦方向においてくびれた根元部１２ａによって縦方向へ変形し易く構成されているが、横方向において根元部１２ａがくびれていない、またはくびれが小さいことで横方向へ変形し難く構成されている。
【００２０】
図６に示すように、表ゾーンＡ１を構成する第１凸部１２ＺＡにおける先端部１２ｂの外縁が、表ゾーンＢ１を構成する第１凸部１２ＺＢにおける先端部１２ｂの外縁よりも基部１６側に位置している。また、表ゾーンＢ１を構成する第１凸部１２ＺＢのくびれが、表ゾーンＡ１を構成する第１凸部１２ＺＡのくびれよりも、第１凸部１２の突出方向へ大きく形成されている。第１凸部１２ＺＢのくびれは、第１凸部１２ＺＡのくびれよりも浅いが、第１凸部１２ＺＡよりも縦方向(マットレス１０の長手方向)へ向けて広く開口している。従って、表ゾーンＡ１と表ゾーンＢ１との境界において縦方向に隣り合う第１凸部１２ＺＡ,１２ＺＢのうち、表ゾーンＡ１を構成する第１凸部１２ＺＡにおける先端部１２ｂの外縁が、表ゾーンＢ１を構成する第１凸部１２ＺＢにおける先端部１２ｂの外縁よりも、裏側に位置している。また、表ゾーンＡ１と表ゾーンＢ１との境界において縦方向に隣り合う第１凸部１２ＺＡ,１２ＺＢのうち、表ゾーンＡ１の第１凸部１２ＺＡのくびれよりも、表ゾーンＢ１の第１凸部１２ＺＢのくびれが、第１凸部１２の突出方向へ大きく形成されている。換言すると、境界において縦方向に隣り合う第１凸部１２ＺＡ,１２ＺＢは、一方の第１凸部１２ＺＡの先端部１２ｂにおいて縦方向に最も張り出した外縁が、他方の第１凸部１２ＺＢのくびれに向かい合う関係になっている。
【００２１】
図６に示すように、表ゾーンＡ１の第１凸部１２ＺＡよりも表ゾーンＢ１の第１凸部１２ＺＢのほうが、基部１６から先端部１２ｂの外縁(縦方向へ最も張り出している部位)までが離れており、基部１６から先端部１２ｂの外縁までの距離が大きくなっている。表ゾーンＡ１の第１凸部１２ＺＡよりも表ゾーンＢ１の第１凸部１２ＺＢのほうが、根元部１２ａのくびれが基部１６と先端部１２ｂの外縁との間に大きく開口している。表ゾーンＢ１の第１凸部１２ＺＢよりも表ゾーンＡ１の第１凸部１２ＺＡのほうが、先端部１２ｂの外縁から基部１６側に開口する根元部１２ａのくびれの深さ(先端部１２ｂにおける縦方向の両外縁間の寸法ｔａ１,ｔｂ１と、根元部１２ａの縦方向の最小幅との寸法差)が大きくなっている。
【００２２】
図６,図７および図１１に示すように、第２凸部１４は、基部１６に連なる根元部１４ａと、根元部１４ａに支持され、該第２凸部１４の突端を構成する先端部１４ｂとから構成されている。図７に示すように、第２凸部１４の先端部１４ｂの支持面は、該支持面において縦第２溝部２０Ｂに臨む横方向(マットレス１０の短手方向)の外縁から中央部側へ向かうにつれて裏側へ傾く傾斜面を有するテーパ状に形成されている。具体的には、第２凸部１４の先端部１４ｂは、縦方向(マットレス１０の長手方向)の断面形状が、先端部１４ｂの外縁の狭いテーパ部分を除いて、中央部が水平に延在している(図６参照)。第２凸部１４の先端部１４ｂは、該先端部１４ｂの中央部側から横方向へ該先端部１４ｂの外縁に向かうにつれて、表側(基部１６側)へ向けて傾いている。実施例において、第２凸部１４の先端部１４ｂにおいて使用者に接する支持面は、該支持面の中央側から横方向の外縁へ向かうにつれて基部１６側へ傾いているが、縦方向において中央部が水平に延在する形状になっている。第２凸部１４の先端部１４ｂは、縦方向の断面において支持面がほぼ平坦な形状であるが、横方向の断面において先細り形状になっている。第２凸部１４は、該第２凸部１４における縦方向の中央を表裏方向に通る線を挟んで対称な形状であり、該第２凸部１４における横方向の中央を表裏方向に通る線を挟んで対称な形状で形成されている。
【００２３】
図６および図１１に示すように、第２凸部１４は、先端部１４ｂにおける支持面の外縁が根元部１４ａよりも縦方向(マットレス１０の長手方向)へ張り出して、長手方向において先端部１４ｂと比べて根元部１４ａが細くなる形状で形成されている。第２凸部１４は、縦方向の断面形状が、先端部１４ｂと比べて根元部１４ａが細くなる、基部１６側がくびれた形状で形成されており、横から見た外形が所謂キノコ形状になっている。より具体的には、第２凸部１４は、縦方向の断面形状において、先端部１４ｂの両外縁間で縦方向の最大幅となる。第２凸部１４は、先端部１４ｂの外縁から根元部１４ａの基部１６との付け根側にいくにつれて、徐々に縦方向の幅が狭くなっていき、底側近傍で縦方向の最小幅となる。その後、根元部１４ａがＲ状に丸みを帯びたくびれ形状であることとの関係で、基部１６に達する直前で縦方向の幅が少し大きくなる。このように、第２凸部１４は、縦方向の断面形状において、最大幅を有する先端部１４ｂに比べて最小幅を有する根元部１４ａのほうが細くなって、基部１６側がくびれた形状で形成されている。
【００２４】
図６および図７に示すように、第２凸部１４は、縦方向(マットレス１０の長手方向)において根元部１４ａがくびれた形状であるのに対して、横方向(マットレス１０の短手方向)において根元部１４ａがくびれていない形状である。すなわち、第２凸部１４は、横方向の断面形状が、先端部１４ｂにおける両外縁間の最大幅(横方向における先端部１４ｂの外縁間の距離)と根元部１４ａの幅が同じである。実施例において、第２凸部１４は、縦方向に向く側面が、根元部１４ａよりも先端部１４ｂが傘状に張り出すように、曲面がなだらかに連なるように形状変化し、横方向に向く側面が、根元部１４ａから先端部１４ｂの外縁にかけて直線的に立ち上がっている。
【００２５】
図６および図１１に示すように、縦方向(マットレス１０の長手方向)に隣り合う第２凸部１４,１４によって形作られる横第２溝部２０Ａは、互いに近づくように張り出した先端部１４ｂ,１４ｂの外縁同士で挟まれた開口側と比べて、先端部１４ｂよりも凹んだ根元部１４ａ,１４ａ同士で挟まれた底側が広く形成される。なお、横第２溝部２０Ａの開口(溝幅ｍａ２,ｍｂ２,ｂｍ２)は、縦方向に隣り合う第２凸部１４,１４において向かい合う先端部１４ｂ,１４ｂの外縁が最も近接する位置を指している。すなわち、横第２溝部２０Ａは、底側よりも狭い部分が開口側に設けられて、開口側と比べて底側が縦方向において広く形成されている。図７に示すように、横方向に隣り合う第２凸部１４,１４によって形作られる縦第２溝部２０Ｂは、先端部１４ｂ,１４ｂの外縁同士で挟まれる開口側から根元部１４ａ,１４ａ同士で挟まれる底側にかけて、基本的に同じ幅で形成されている。第２凸部１４は、縦方向においてくびれた根元部１４ａによって縦方向へ変形し易く構成されているが、横方向において根元部１４ａがくびれていない、またはくびれが小さいことで横方向へ変形し難く構成されている。
【００２６】
図６に示すように、第１凸部１２の先端部１２ｂは、縦方向(マットレス１０の長手方向)において中央部が膨らんだ形状であるのに対して、第２凸部１４の先端部１４ｂは、縦方向において中央部が平らになっている。また、第１凸部１２の先端部１２ｂおよび第２凸部１４の先端部１４ｂは、横方向(マットレス１０の短手方向)において中央部が膨らんだ形状が共通している。第２凸部１４は、先端部１４ｂに形成された縦方向の傾斜面の範囲が、第１凸部１２の先端部１２ｂに形成された縦方向の傾斜面の範囲よりも狭く設定されている。このように、マットレス１０は、表面の第１凸部１２が裏面の第２凸部１４よりも先細り形状であることで、裏面よりも表面の体圧分散性を向上させている。また、マットレス１０は、第２凸部１４の縦方向の傾斜が第１凸部１２の縦方向の傾斜よりも狭いので、裏面を表面よりも使用者が縦方向へずれ難くすることができる。従って、マットレス１０は、表面を比較的長時間寝ている場合に使用すると好適であり、回復期にあるような比較的動きがある場合に裏面を使用すると好適である。
【００２７】
図６に示すように、表ゾーンＡ１を構成する第１凸部１２(区別する場合は、第１凸部１２ＺＡという。)の縦方向の寸法ｔａ１は、表ゾーンＢ１を構成する第１凸部１２(区別する場合は、第１凸部１２ＺＢという。)の縦方向の寸法ｔｂ１よりも大きく設定されている(ｔａ１＞ｔｂ１)。同様に、裏ゾーンＡ２を構成する第２凸部１４(区別する場合は、第２凸部１４ＺＡという。)の縦方向の寸法ｔａ２は、裏ゾーンＢ２を構成する第２凸部１４(区別する場合は、第２凸部１４ＺＢという。)の縦方向の寸法ｔｂ２よりも大きく設定されている(ｔａ２＞ｔｂ２)。図７に示すように、表ゾーンＡ１を構成する第１凸部１２ＺＡと、表ゾーンＢ１を構成する第１凸部１２ＺＢとは、横方向の寸法ｙ１が同じである。同様に、裏ゾーンＡ２を構成する第２凸部１４ＺＡと、裏ゾーンＢ２を構成する第２凸部１４ＺＢとは、横方向の寸法ｙ２が同じである。マットレス１０は、表裏の何れの面においても、ゾーンＡの凸部１２ＺＡ(１４ＺＡ)がゾーンＢの凸部１２ＺＢ(１４ＺＢ)よりも縦方向の寸法が大きいが(ｔａ１＞ｔｂ１,ｔａ２＞ｔｂ２)、ゾーン(ゾーンＡまたはゾーンＢ)の違いによって凸部１２,１４の横方向の寸法ｙ１,ｙ２は変わらない。このように、ゾーンＢには、ゾーンＡよりも縦方向に小さい寸法の凸部１２,１４がゾーンＡよりも縦方向に密に配置されており、ゾーンＢにおいて、ゾーンＡよりも多くの凸部１２,１４によって荷重を支持し得るように構成されている。マットレス１０は、ゾーンＢにおいて比較的多くの凸部１２,１４によって荷重を受けるので当該ゾーンＢでの体圧分散性が良好であり、ゾーンＡにおいて比較的大きい凸部１２,１４によって荷重を受けて当該荷重を適切に保持し得る。なお、凸部１２,１４における縦方向の寸法ｔａ１,ｔｂ１,ｔａ２,ｔｂ２とは、縦方向における先端部１２ｂ,１４ｂの外縁間の幅をいい、凸部１２,１４における横方向の寸法ｙ１,ｙ２とは、横方向における先端部１２ｂ,１４ｂの外縁間の幅をいう。
【００２８】
図６に示すように、表ゾーンＡ１を構成する第１凸部１２ＺＡは、表ゾーンＢ１を構成する第１凸部１２ＺＢよりも、先端部１２ｂと根元部１２ａとの縦方向(マットレス１０の長手方向)の寸法差が大きく設定されている。すなわち、表ゾーンＡ１の第１凸部１２ＺＡは、表ゾーンＢ１の第１凸部１２ＺＢよりも根元側のくびれが深く形成されている。これにより、マットレス１０の表面は、表ゾーンＡ１よりも表ゾーンＢ１が縦方向へ変形し難くなっている。図６に示すように、裏ゾーンＡ２を構成する第２凸部１４ＺＡと、裏ゾーンＢ２を構成する第２凸部１４ＺＢとは、先端部１４ｂと根元部１４ａとの縦方向の寸法差が同じである。すなわち、裏ゾーンＡ２の第２凸部１４ＺＡと裏ゾーンＢ２の第２凸部１４ＺＢとは、根元側のくびれの深さが同じである。従って、マットレス１０の裏面は、第２凸部１４のくびれの深さの相違による裏ゾーンＡ２,Ｂ２の縦方向の変形し易さに差がない。
【００２９】
図６に示すように、マットレス１０は、表面の表ゾーンＡ１において縦方向(マットレス１０の長手方向)に隣り合う第１凸部１２ＺＡ,１２ＺＡの間隔ｍａ１が、表面の表ゾーンＢ１において縦方向に隣り合う第１凸部１２ＺＢ,１２ＺＢの間隔ｍｂ１よりも広く設定されている(ｍａ１＞ｍｂ１)。また、マットレス１０は、表面の表ゾーンＡ１と表ゾーンＢ１との境界において縦方向に隣り合う第１凸部１２ＺＡ,１２ＺＢの間隔ｂｍ１が、表ゾーンＢ１において縦方向に隣り合う第１凸部１２ＺＢ,１２ＺＢの間隔ｍｂ１よりも広く設定されている(ｂｍ１＞ｍｂ１)。図７に示すように、マットレス１０は、表面において横方向(マットレス１０の短手方向)に隣り合う第１凸部１２,１２の間隔ｎ１が同じである。マットレス１０の表面は、表ゾーンＡ１における横第１溝部１８Ａの溝幅ｍａ１が、表ゾーンＢ１における横第１溝部１８Ａの溝幅ｍｂ１よりも大きい。また、マットレス１０の表面は、表ゾーンＡ１と表ゾーンＢ１との境界における横第１溝部１８Ａの溝幅ｂｍ１が、表ゾーンＢ１における横第１溝部１８Ａの溝幅ｍｂ１よりも大きくなっている。実施例において、表ゾーンＡ１において縦方向に隣り合う第１凸部１２ＺＡ,１２ＺＡの間隔ｍａ１と、前記境界において縦方向に隣り合う第１凸部１２ＺＡ,１２ＺＢの間隔ｂｍ１とは同じである(ｍａ１＝ｂｍ１)。マットレス１０の表面は、縦第１溝部１８Ｂの溝幅ｎ１が何れも同じである。実施例では、表ゾーンＡ１において縦方向に隣り合う第１凸部１２ＺＡ,１２ＺＡの間隔ｍａ１および前記境界において縦方向に隣り合う第１凸部１２ＺＡ,１２ＺＢの間隔ｂｍ１が、横方向に隣り合う第１凸部１２,１２の間隔ｎ１よりも広い(ｍａ１＝ｂｍ１＞ｎ１)。表ゾーンＢ１において縦方向に隣り合う第１凸部１２ＺＢ,１２ＺＢの間隔ｍｂ１と、横方向に隣り合う第１凸部１２,１２の間隔ｎ１とが、同じに設定されている(ｍｂ１＝ｎ１)。
【００３０】
図６に示すように、マットレス１０は、裏面の裏ゾーンＡ２において縦方向(マットレス１０の長手方向)に隣り合う第２凸部１４ＺＡ,１４ＺＡの間隔ｍａ２と、裏面の裏ゾーンＢ２において縦方向に隣り合う第２凸部１４ＺＢ,１４ＺＢの間隔ｍｂ２とが、同じに設定されている(ｍａ２＝ｍｂ２)。同様に、マットレス１０は、裏面の裏ゾーンＡ２と裏ゾーンＢ２との境界において縦方向に隣り合う第２凸部１４ＺＡ,１４ＺＢの間隔ｂｍ２が、裏ゾーンＡ２および裏ゾーンＢ２において縦方向に隣り合う第２凸部１４,１４の間隔ｍａ２,ｍｂ２と同じである。また、マットレス１０は、裏面において横方向(マットレス１０の短手方向)に隣り合う第２凸部１４,１４の間隔ｎ２が同じである。このように、マットレス１０は、裏面において、横第２溝部２０Ａの溝幅ｍａ２,ｍｂ２,ｂｍ２が、裏ゾーンＡ２および裏ゾーンＢ２にかかわらず何れも同じであり、縦第２溝部２０Ｂの溝幅ｎ２が何れも同じである。実施例では、マットレス１０の裏面において、縦方向に隣り合う第２凸部１４,１４の間隔ｍａ２,ｍｂ２,ｂｍ２が、横方向に隣り合う第２凸部１４,１４の間隔ｎ２よりも広く設定されている(ｍａ２＝ｍｂ２＝ｂｍ２＞ｎ２)。なお、隣り合う凸部１２,１２,１４,１４の間隔(溝部１８,２０の溝幅)ｍａ１,ｍｂ１,ｂｍ１,ｎ１,ｍａ２,ｍｂ２,ｂｍ２,ｎ２は、隣り合う先端部１２ｂ,１２ｂ,１４ｂ,１４ｂの外縁間の寸法をいう。
【００３１】
図４に示すように、マットレス１０は、表面の表ゾーンＡ１および裏面の裏ゾーンＡ２が、基部１６を挟んだ表裏において少なくとも一部が重なり、表面の表ゾーンＢ１および裏面の裏ゾーンＢ２が、基部１６を挟んだ表裏において少なくとも一部が重なるように配置されている。実施例では、基部１６を挟んだ表裏において、対応する表ゾーンＡ１および裏ゾーンＡ２の縦方向(マットレス１０の長手方向)の範囲が異なると共に、対応する表ゾーンＢ１および裏ゾーンＢ２の縦方向の範囲が異なっている。マットレス１０は、横第１溝部１８Ａと横第２溝部２０Ａとが、表裏に重なるように配置されたり、縦方向にずらして配置されたりして、不規則な関係にあり、第１凸部１２と第２凸部１４とが縦方向へずれている。図５に示すように、マットレス１０は、縦第１溝部１８Ｂおよび縦第２溝部２０Ｂが横方向(マットレス１０の短手方向)へずらして配置されており、実施例では、マットレス１０の一面の凸部１２,１４の横方向中央に対応して、マットレス１０の他面の縦溝部２０Ｂ,１８Ｂが配置されている。すなわち、マットレス１０は、第１凸部１２と第２凸部１４とが基部１６を挟んで横方向にずらして一部重なるように配置され、また、縦第１溝部１８Ｂと縦第２溝部２０Ｂとが基部１６を挟んで横方向へずらして重ならないように配置されている。
【００３２】
図５に示すように、縦方向(マットレス１０の長手方向)に延在する複数の縦第２溝部２０Ｂの中には、第１凸部１２に対応する位置に設けられて、該第１凸部１２の内側へ達するように形成された深縦第２溝部２０Ｂａがある。マットレス１０には、横方向(マットレス１０の短手方向)の中央部と、使用者の肩辺りに対応する左右の側部のそれぞれの合計３箇所に、深縦第２溝部２０Ｂａが設けられている。深縦第２溝部２０Ｂａは、マットレス１０の厚み(第１凸部１２の先端と第２凸部１４の先端との距離)の７０％〜８０％の深さで形成されており、残部の軟質発泡体の厚みを薄くすることで、マットレス１０を横方向へ曲げ易くしている。なお、実施例において、深縦第２溝部２０Ｂａ以外の通常の第２溝部２０や第１溝部１８は、マットレス１０の厚みの５０％以下の深さになっている。
【００３３】
図６に示すように、表ゾーンＡ１または表ゾーンＡ１,Ｂ１間の境界において縦方向(マットレス１０の長手方向)に隣り合う第１凸部１２,１２の間隔は、裏ゾーンＡ２および裏ゾーンＢ２において縦方向に隣り合う第２凸部１４,１４の間隔よりも広く設定されている。表ゾーンＢ１において縦方向に隣り合う第１凸部１２ＺＢ,１２ＺＢの間隔は、裏ゾーンＡ２および裏ゾーンＢ２において縦方向に隣り合う第２凸部１４,１４の間隔よりも狭く設定されている。
【００３４】
図４に示すように、マットレス１０は、縦方向(マットレス１０の長手方向)の領域に応じて、表ゾーンＡ１および表ゾーンＡ１に対応する裏ゾーンＡ２と、表ゾーンＢ１および表ゾーンＢ１に対応する裏ゾーンＢ２とに区分されている。第２凸部１４は、対応するゾーンＡ,Ｂ同士の関係において、第１凸部１２よりも縦方向の寸法が大きく設定されている。具体的には、裏ゾーンＡ２の第２凸部１４ＺＡは、基部１６を表裏に挟んで対応する表ゾーンＡ１の第１凸部１２ＺＡよりも縦方向へ大きな寸法で形成されている。また、裏ゾーンＢ２の第２凸部１４ＺＢは、基部１６を表裏に挟んで対応する表ゾーンＢ１の第１凸部１２ＺＢよりも縦方向へ大きな寸法で形成されている。
【００３５】
図１〜図５に示すように、マットレス１０には、ゾーンＡおよびゾーンＢの周りを囲うように配置された支持部２２,２４によって構成され、ゾーンＡおよびゾーンＢよりも荷重支持力が高く設定された支持ゾーンが設けられている。マットレス１０の表面および裏面には、ゾーンＡまたはゾーンＢを横方向に挟む両方の横縁(縦方向(マットレス１０の長手方向)に沿う縁辺)と、ゾーンＡおよびゾーンＢを縦方向に挟む両方の縦縁(横方向(マットレス１０の短手方向)に沿う縁辺)とに、支持ゾーンが設けられている。マットレス１０の表面における横縁に設けられた表支持部２２は、横方向に並ぶ第１凸部１２と縦方向の寸法が同じである一方で、当該第１凸部１２よりも横方向の寸法が大きく形成されている。縦方向に隣り合う表支持部２２,２２の間には、横第１溝部１８Ａがあり、マットレス１０の横縁に設けられた表支持部２２は横から見た形状が横方向に隣り合う第１凸部１２と同じである。縦縁に設けられた表支持部２２は、縦方向に並ぶ第１凸部１２と横方向の寸法が同じである一方で、当該第１凸部１２よりも縦方向の寸法が大きく形成されている。横方向に隣り合う表支持部２２,２２の間には、縦第１溝部１８Ｂがあり、マットレス１０の縦縁に設けられた表支持部２２は縦から見た形状が縦方向に隣り合う第１凸部１２と同じである。
【００３６】
図１〜図５に示すように、マットレス１０の裏面における横縁に設けられた裏支持部２４は、横方向に並ぶ第２凸部１４と縦方向の寸法が同じである一方で、当該第２凸部１４よりも横方向の寸法が大きく形成されている。縦方向に隣り合う裏支持部２４,２４の間には、横第２溝部２０Ａがあり、マットレス１０の横縁に設けられた裏支持部２４は横から見た形状が横方向に隣り合う第２凸部１４と同じである。縦縁に設けられた裏支持部２４は、縦方向に並ぶ第２凸部１４と横方向の寸法が同じである一方で、当該第２凸部１４よりも縦方向の寸法が大きく形成されている。横方向に隣り合う裏支持部２４,２４の間には、縦第２溝部２０Ｂがあり、マットレス１０の縦縁に設けられた裏支持部２４は縦から見た形状が縦方向に隣り合う第２凸部１４と同じである。このように、マットレス１０は、表裏の何れの面においても、縁部に凸部１２,１４よりも大きい支持部２２,２４を配置してあるので、縁部における荷重の支持力が高くなっている。従って、使用者がマットレス１０にのるときやマットレス１０から立ち上がるときに縁部に腰を掛けた際に、使用者の荷重を過剰に沈み込まないように好適に支持し、座ったり、立ち上がったりするなどを行い易くすることができる。また、使用者がマットレス１０に寝たとき、比較的硬い支持部２２,２４によってホールド性を高めることができる。
【００３７】
マットレス１０は、表面が凹になるように縦方向に曲げると、表側において縦方向(マットレス１０の長手方向)に隣り合う第１凸部１２,１２が相対的に近づく一方、裏側において縦方向に隣り合う第２凸部１４,１４が相対的に離れて、第１凸部１２,１２同士が当たると曲げ変形が妨げられる(図１０の一点鎖線参照)。反対に、マットレス１０は、裏面が凹になるように縦方向に曲げると、裏側において縦方向に隣り合う第２凸部１４,１４が相対的に近づく一方、表側において縦方向に隣り合う第１凸部１２,１２が相対的に離れて、第２凸部１４,１４同士が当たると曲げ変形が妨げられる(図１１の一点鎖線参照)。このように、マットレス１０は、表裏のそれぞれに横方向(マットレス１０の短手方向)へ延在する溝部１８Ａ,２０Ａによって縦方向へ曲げ易くなっており(図８参照)、表裏のそれぞれに縦方向へ延在する溝部１８Ｂ,２０Ｂによって横方向へ曲げ易くなっている(図９参照)。マットレス１０は、第１凸部１２の先端部１２ｂが、横方向に延在する溝部１８Ａ,２０Ａに臨む外縁から中央部に向けて傾斜面を有するテーパ形状であるから、表側が凹になるように縦方向に曲げた際に、縦方向に並ぶ第１凸部１２,１２が互いに干渉し難くなり、縦方向へ大きく曲げることができる。同様に、マットレス１０は、第１凸部１２の先端部１２ｂおよび第２凸部１４の先端部１４ｂが、縦方向に延在する溝部１８Ｂ,２０Ｂに臨む外縁から中央部に向けて傾斜面を有するテーパ形状であるから、表側または裏側が凹になるように横方向に曲げた際に、横方向に並ぶ第１凸部１２,１２または第２凸部１４,１４が互いに干渉し難くなり、横方向へ大きく曲げることができる。
【００３８】
マットレス１０は、表ゾーンＡ１において縦方向(マットレス１０の長手方向)に隣り合う第１凸部１２ＺＡ,１２ＺＡの間隔、並びに表ゾーンＡ１と表ゾーンＢ１との境界において縦方向に隣り合う第１凸部１２ＺＡ,１２ＺＢの間隔が、表ゾーンＢ１において縦方向に隣り合う第１凸部１２ＺＢ,１２ＺＢの間隔よりも広い。マットレス１０は、表ゾーンＢ１の第１凸部１２ＺＢと比べて表ゾーンＡ１において第１凸部１２ＺＡの縦寸法が大きいが、表ゾーンＡ１において横第１溝部１８Ａが広いので、表ゾーンＡ１においてマットレス１０を縦方向へ曲げ易くすることができる。また、表ゾーンＡ１と表ゾーンＢ１との境界は、マットレス１０を縦方向へ曲げる際の起点になることが多いので、境界に延在する横第１溝部１８Ａが広いと、可変ベッドに対応してマットレス１０が縦方向へ曲がり易くなる。そして、表ゾーンＢ１は、表ゾーンＡ１よりも縦方向へ隣り合う第１凸部１２ＺＢ,１２ＺＢの間隔が狭いが、第１凸部１２ＺＢの縦方向寸法が小さく横第１溝部１８Ａのピッチが細かいので、表ゾーンＢ１においても縦方向への曲げ易さを保つことができる。
【００３９】
このように、マットレス１０によれば、可変ベッドの動きに追従して好適に曲げ変形することができ、背もたれとなるように傾いた可変ベッドに対応して曲がったり、膝を持ち上げるように変形した可変ベッドに対応して曲がったり(図８参照)するなど、縦方向の複数箇所で曲げることにも無理なく追従可能である。また、マットレス１０は、縦方向(マットレス１０の長手方向)だけでなく、肩を横側から支えるように傾いた可変ベッドに対応して横方向(マットレス１０の短手方向)へ曲がり、横方向の複数箇所で曲げることにも無理なく追従可能である。
【００４０】
マットレス１０は、横方向(マットレス１０の短手方向)に延在する横第１溝部１８Ａおよび横第２溝部２０Ａが、縦方向(マットレス１０の長手方向)において開口側と比べて底側が広く形成されているので、荷重の支持面を確保しつつ、縦方向に隣り合う凸部１２,１２,１４,１４に隙間を比較的大きくすることができる。これにより、マットレス１０は、長尺な縦方向において表または裏の何れの方向に向けて曲げても縦方向への変形を容易にできる。
【００４１】
第１凸部１２は、先端部１２ｂにおける支持面の外縁が根元部１２ａよりも縦方向(マットレス１０の長手方向)へ張り出して、縦方向の断面形状が先端部１２ｂと比べて根元部１２ａが細くなるくびれた形状である。表ゾーンＡ１と表ゾーンＢ１との境界において縦方向に隣り合う第１凸部１２ＺＡ,１２ＺＢのうち、表ゾーンＡ１を構成する第１凸部１２ＺＡにおける先端部１２ｂの外縁が、表ゾーンＢ１を構成する第１凸部１２ＺＢにおける先端部１２ｂの外縁よりも、基部１６側に位置している。すなわち、表ゾーンＢ１を構成する第１凸部１２ＺＢは、先端部１２ｂの外縁が、表ゾーンＡ１を構成する第１凸部１２ＺＡにおける先端部１２ｂの外縁と比べて基部１６から離れている。これにより、表ゾーンＢ１を構成する第１凸部１２ＺＢの外縁と基部１６との間に形成される根元部１２ａのくびれが、該第１凸部１２ＺＢの突出方向へ大きく開口することになる。このように、マットレス１０は、表ゾーンＡ１,Ｂ１の境界で縦方向(マットレス１０の長手方向)に隣り合う第１凸部１２ＺＡ,１２ＺＢの一方が、他方よりも先端部１２ｂの外縁が基部１６側に位置すると共に、第１凸部１２ＺＡ,１２ＺＢの他方が、一方よりもくびれが第１凸部１２の突出方向へ大きく開口するように形成されている(図１０(ｃ)参照)。これにより、マットレス１０は、表ゾーンＡ１,Ｂ１の境界で表側が凹になるように曲げた際に、表ゾーンＡ１の第１凸部１２ＺＡの先端部１２ｂ(特に外縁付近)が表ゾーンＢ１の第１凸部ＺＢのくびれに入り込む(図１０(ｃ)の一点鎖線参照)。従って、表ゾーンＡ１,Ｂ１の境界で隣り合う第１凸部１２ＺＡ,１２ＺＢが干渉し難いので、当該境界においてマットレス１０を大きく曲げることが可能である。
【００４２】
マットレス１０は、裏面から第１凸部１２の内側へ達するように形成された深縦第２溝部２０Ｂａを有しているので、当該深縦第２溝部２０Ｂａの底を起点に曲げ易くなっている。これにより、マットレス１０は、短尺である横方向(マットレス１０の短手方向)であっても、肩を横側から支えるような可変ベッドの横方向の変形に追従することができる。
【００４３】
マットレス１０は、第１凸部１２および第２凸部１４が、横方向(マットレス１０の短手方向)において先端部１２ｂ,１４ｂの外縁における幅と根元部１２ａ,１４ａの幅とが同じであるくびれがない形状で形成される。すなわち、第１凸部１２および第２凸部１４は、縦方向(マットレス１０の縦方向)よりも横方向へ変形し難くなっており、使用者の横側の動きに対するホールド性がよい。マットレス１０は、表ゾーンＡ１を構成する第１凸部１２ＺＡが、表ゾーンＢ１を構成する第１凸部１２ＺＢよりも、先端部１２ｂと根元部１２ａとの縦方向の寸法差が大きく設定されている。臀部等の比較的大きな荷重を支持する表ゾーンＢ１の第１凸部１２ＺＢが、縦方向へ変形し難いので、当該表ゾーンＢ１にかかる高荷重をホールド感よく適切に受け止めることができる。このように、マットレス１０は、凸部１２,１４の形状や配置などによって、使用者の荷重を適切に支えて、姿勢維持を助けるような好適なホールド性を備えている。
【００４４】
マットレス１０は、表裏で対応するゾーンＡ１,Ａ２,Ｂ１,Ｂ２同士の関係において、第２凸部１４が第１凸部１２よりも縦方向(マットレス１０の長手方向)の外縁間の最大寸法が大きい。具体的には、裏ゾーンＡ２の第２凸部１４ＺＡが、表ゾーンＡ１の第１凸部１２ＺＡよりも縦方向の外縁間の最大寸法が大きく、裏ゾーンＡ２が表ゾーンＡ１よりも硬めになっている。同様に、裏ゾーンＢ２の第２凸部１４ＺＢが、表ゾーンＢ１の第１凸部１２ＺＢよりも縦方向の外縁間の最大寸法が大きく、裏ゾーンＢ２が表ゾーンＢ１よりも硬めになっている。すなわち、マットレス１０は、裏面が表面よりも硬めになっている。従って、マットレス１０によれば、表裏を変えるだけで簡単に硬さを変化させることができる。
【００４５】
マットレス１０は、第２凸部１４が、先端部１４ｂに形成された縦方向の傾斜面の範囲が、第１凸部１２の先端部１２ｂに形成された縦方向の傾斜面の範囲よりも狭く設定されている。これにより、マットレス１０は、裏面の第２凸部１４の方が表面の第１凸部１２よりも初期の圧縮応力が大きくなり、荷重を適切に受け止めることができる。すなわち、マットレス１０は、裏面が表面よりも硬めになっている。従って、マットレス１０によれば、表裏を変えるだけで簡単に硬さを変化させることができる。
【００４６】
介護を受けているような使用者は、筋力が落ちていることもあり、自ら立ち上がろうとすることを諦めて、ますます筋力が低下する悪循環に陥ることが、使用者の自立という側面から重大な問題である。そこで、マットレス１０には、使用者が快適に使用できる柔軟性や体圧分散性、あるいは可変ベッドに対応した変形容易性に限らず、近年、使用者の自立を支援・促進し得ることが求められている。マットレス１０は、表面が裏面と比べて柔らかいことで、比較的長時間に亘って使用しても負担が少ない。また、マットレス１０は、表面が裏面と比べて変形容易になっていることで、可変ベッドに載置した際に使用者の姿勢保持を適切に補助し得る。これに対して、マットレス１０は、裏面が表面と比べて硬いことで、表裏をひっくり返して裏面を上面にして使用すると、使用者が自力で起き上がり易くなり、使用者が自ら起きたりするなどの動きを補助することができる。このように、例えば状態が悪いときは、マットレス１０の表面を使用することで使用者の負担を小さくし、回復したときは、第２凸部１４を上側にしてマットレス１０の裏面を使用することで使用者の自立を支援するまでの一連の流れに、１枚のマットレス１０で効率よく寄与することができる。
【００４７】
（変更例）
前述した構成に限らず、例えば以下のように変更してもよい。
(１)実施例の凸部は、横方向(マットレスの短手方向)において根元部がくびれていない形状であるが、これに限らず、横方向の断面形状が根元部でくびれたキノコ型であってもよい。この場合、凸部は、横方向のくびれの深さ(先端部の最大幅と根元部の最小幅の差)を、縦方向(マットレスの長手方向)のくびれの深さよりも小さい形状で形成するとよい。換言すると、凸部は、横方向において根元部と先端部の外縁とに寸法差がない形状(実施例)でない場合、横方向における根元部と先端部の外縁との寸法差が、縦方向における根元部と先端部の外縁との寸法差よりも小さい形状で形成することが好ましい。
(２)凸部の横方向(マットレスの短手方向)における根元部のくびれ形状は、第１凸部および第２凸部の何れか一方または両方に設けてもよい。
【００４８】
本開示には、以下の発明が含まれている。
（発明Ａ）
発明Ａは、弾性変形可能な軟質発泡体で矩形状に形成されたマットレスであって、
マットレスの表裏のうちの一面に設けられた複数の第１凸部と、
マットレスの表裏のうちの他面に設けられた複数の第２凸部と、を備え、
前記マットレスの一面は、該マットレスの長手方向の領域に応じてゾーンＡ１とゾーンＢ１とに区分され、
前記マットレスの他面は、該マットレスの長手方向の領域に応じて前記ゾーンＡ１に対応するゾーンＡ２と前記ゾーンＢ１に対応するゾーンＢ２とに区分され、
前記第２凸部は、対応するゾーン同士の関係において、前記第１凸部よりも前記長手方向の寸法が大きく設定されているマットレスである。
発明Ａによれば、表裏において硬さが異なり、表面と裏面とで目的や好みに合わせて使い分け可能である。
【符号の説明】
【００４９】
１０ マットレス，１２ 第１凸部，１２ＺＡ (表ゾーンＡ１の)第１凸部，
１２ＺＢ (表ゾーンＢ１の)第１凸部，１２ａ (第１凸部の)根元部，
１２ｂ (第１凸部の)先端部，１４ 第２凸部，１４ＺＡ (裏ゾーンＡ２の)第２凸部，
１４ＺＢ (裏ゾーンＢ２の)第２凸部，１４ａ (第２凸部の)根元部，
１４ｂ (第２凸部の)先端部，１６ 基部，１８ 第１溝部，
１８Ａ 横第１溝部(第１溝部)，１８Ｂ 縦第１溝部(第１溝部)，
２０ 第２溝部，２０Ａ 横第２溝部(第２溝部)，
２０Ｂ 縦第２溝部(第２溝部)
【図１】
2020014737.tif 000003
【図２】
2020014737.tif 000004
【図３】
2020014737.tif 000005
【図４】
2020014737.tif 000006
【図５】
2020014737.tif 000007
【図６】
2020014737.tif 000008
【図７】
2020014737.tif 000009
【図８】
2020014737.tif 000010
【図９】
2020014737.tif 000011
【図１０】
2020014737.tif 000012
【図１１】
2020014737.tif 000013
【図１２】
2020014737.tif 000014